(57)【特許請求の範囲】
【請求項１】
骨伝導イヤホンに基づく発声ガイドモードを切り替え可能なサイクリングヘルメットであって、
前記サイクリングヘルメットは、ヘルメット本体、及び前記ヘルメット本体に位置する骨伝導イヤホンを含み、
前記骨伝導イヤホンは、磁石、コイル及び骨伝導振動子を含み、
前記骨伝導振動子は、前記ヘルメット本体が振動して音室を形成するように、前記ヘルメット本体に接触でき、
前記ヘルメット本体は、前記骨伝導振動子に直接接触可能な共鳴ケースを含む、ことを特徴とする骨伝導イヤホンに基づく発声ガイドモードを切り替え可能なサイクリングヘルメット。
【請求項２】
前記骨伝導イヤホンは、前記共鳴ケースの内部に位置し、射出方式によって前記共鳴ケースと一体成形されている、ことを特徴とする請求項１に記載の骨伝導イヤホンに基づく発声ガイドモードを切り替え可能なサイクリングヘルメット。
【請求項３】
前記共鳴ケースは、数量が複数であり、前記ヘルメット本体内で対称構造となるように分布され、前記共鳴ケース毎に対応して１つの前記骨伝導振動子が設置されている、ことを特徴とする請求項２に記載の骨伝導イヤホンに基づく発声ガイドモードを切り替え可能なサイクリングヘルメット。
【請求項４】
前記共鳴ケースは、数量が２つであり、それぞれ前記ヘルメット本体におけるヘルメット着用者の耳部に位置する箇所に設置されている、ことを特徴とする請求項３に記載の骨伝導イヤホンに基づく発声ガイドモードを切り替え可能なサイクリングヘルメット。
【請求項５】
前記骨伝導イヤホンは、前記骨伝導振動子が前記共鳴ケースに接触する第１状態、及びヘルメット着用者の頭部に接触する第２状態を有するように、前記ヘルメット本体に回動可能に接続されている、ことを特徴とする請求項１に記載の骨伝導イヤホンに基づく発声ガイドモードを切り替え可能なサイクリングヘルメット。
【請求項６】
第１回動アームを更に含み、前記第１回動アームは、前記骨伝導イヤホンに接続された第１回動アームの第１端、及び前記ヘルメット本体に接続された第１回動アームの第２端を有し、前記骨伝導イヤホンは、前記第１状態と前記第２状態を有するように、第１回動アームによって前記ヘルメット本体に回動可能にヒンジ接続されている、ことを特徴とする請求項５に記載の骨伝導イヤホンに基づく発声ガイドモードを切り替え可能なサイクリングヘルメット。
【請求項７】
前記ヘルメット本体に、前記第１状態で前記骨伝導イヤホンを収納するための収容室が設置され、前記収容室の少なくとも一つの側壁が前記共鳴ケースであり、前記第１状態で前記骨伝導イヤホンが前記収容室内に位置し、且つ前記骨伝導イヤホンの骨伝導振動子が前記共鳴ケースに接触されている、ことを特徴とする請求項５に記載の骨伝導イヤホンに基づく発声ガイドモードを切り替え可能なサイクリングヘルメット。
【請求項８】
前記ヘルメット本体は、保護ケースを更に含み、前記共鳴ケースは、人体頭部に着用することに適した半球状構造であり、前記ヘルメット本体の内側に設置され、前記保護ケースは、前記共鳴ケースの外部に設置され、前記共鳴ケースの前記保護ケースから離れた一側にバッファ層が設置されている、ことを特徴とする請求項２に記載の骨伝導イヤホンに基づく発声ガイドモードを切り替え可能なサイクリングヘルメット。
【請求項９】
骨伝導マイクロホン、及び前記骨伝導マイクロホンと前記ヘルメット本体を接続するための第２回動アームを更に含み、前記第２回動アームは、前記骨伝導マイクロホンに接続された第２回動アームの第１端、及び前記ヘルメット本体に接続された第２回動アームの第２端を有し、前記骨伝導マイクロホンは、第２回動アームによって前記ヘルメット本体にヒンジ接続されている、ことを特徴とする請求項６に記載の骨伝導イヤホンに基づく発声ガイドモードを切り替え可能なサイクリングヘルメット。
【請求項１０】
前記第１回動アームと前記第２回動アームは、一体型構造であり、同一のヒンジ装置によって前記ヘルメット本体にヒンジ接続されている、ことを特徴とする請求項９に記載の骨伝導イヤホンに基づく発声ガイドモードを切り替え可能なサイクリングヘルメット。
【発明の詳細な説明】
【技術分野】
【０００１】
本発明は、スポーツ用品の技術分野に関し、特にサイクリングヘルメットに関し、具体的には、骨伝導イヤホンに基づく発声ガイドモードを切り替え可能なサイクリングヘルメットに関する。
【背景技術】
【０００２】
サイクリング過程での転倒が頭部に大きな損傷をもたらし、運転者が比較的低い車速でスロープが緩やかな自転車専用道路に沿ってサイクリングしても、同様にセキュリティ上の問題を無視できない。サイクリングヘルメットを着用する理由は、非常に簡単で、しかも重要である。即ち、頭部を保護して、傷害を軽減することである。相関データは、毎年５００例を超える自転車乗車死亡事故で、死因の７５％が頭部に致命的傷害を与えたことであることを表明する。医学研究によれば、自転車乗車時のヘルメット着用が頭部損傷の８５％を防止でき、且つ損傷程度と事故死亡率を大幅に減少させることを発見した。ハーフフェイスタイプサイクリングヘルメットは、道路専用ヘルメット（ブリム無し）、道路・山道両用ヘルメット（取り外し可能なブリム付）等に分けられる。
【０００３】
電子製品科学技術の継続的な進歩に伴って、携帯通信機器及びマルチメディア移動端末が人々の生活の中でますます多くなってきている。サイクリング過程で、通話及び音楽鑑賞に対する需要が特に顕著であるため、サイクリング機器に音声を聴取するためのイヤホン及びマイクロホンを設置することが現在製品の人気傾向であり、ますます広範な使用者に好まれている。従来技術で、持ち運び・使用が容易になるように、上記機器をサイクリングヘルメットに設置することが多いが、従来のイヤホンが使用過程で外部の音声を遮断するため、安全上のリスクを引き起こしやすいとともに、マイクロホンの使用上で、高速でサイクリングをすると、風の干渉が大きくなり、通話品質に深刻な影響を与える。よって、使用者により良いユーザーエクスペリエンスをもたらすように、上記課題を解決できるサイクリング用品を提供することが求められている。
【発明の概要】
【発明が解決しようとする課題】
【０００４】
本発明は、ヘルメット内部で気導発声を実現し、ヘルメットの機能を増加させることが可能である、骨伝導イヤホンに基づく発声ガイドモードを切り替え可能なサイクリングヘルメットを提供することを一つの目的とする。
【０００５】
本発明は、骨導発声及び気導発声が選択可能に実現され、ユーザーエクスペリエンスが向上する、骨伝導イヤホンに基づく発声ガイドモードを切り替え可能なサイクリングヘルメットを提供することをもう一つの目的とする。
【０００６】
本発明は、骨伝導イヤホンを射出方式によってヘルメットに内蔵することにより、骨伝導振動子とヘルメットとの良好な接触が実現され、発声効果が確保される、骨伝導イヤホンに基づく発声ガイドモードを切り替え可能なサイクリングヘルメットを提供することを更に一つの目的とする。
【０００７】
本発明は、異なる材料で保護ケース及び共鳴ケースを製造することにより、音声伝導及び着用者に対する保護機能が同時に実現される、骨伝導イヤホンに基づく発声ガイドモードを切り替え可能なサイクリングヘルメットを提供することを更にもう一つの目的とする。
【課題を解決するための手段】
【０００８】
その目的を達成するために、本発明は以下の技術方案を採用する。
【０００９】
骨伝導イヤホンに基づく発声ガイドモードを切り替え可能なサイクリングヘルメットであって、前記サイクリングヘルメットは、ヘルメット本体、及び前記ヘルメット本体に位置する骨伝導イヤホンを含み、前記骨伝導イヤホンは、磁石、コイル及び骨伝導振動子を含み、前記骨伝導振動子は、前記ヘルメット本体が振動して音室を形成するように、前記ヘルメット本体に接触できる、骨伝導イヤホンに基づく発声ガイドモードを切り替え可能なサイクリングヘルメットを提供する。
【００１０】
前述した骨伝導イヤホンに基づく発声ガイドモードを切り替え可能なサイクリングヘルメットの好ましい技術方案として、前記ヘルメット本体は、前記骨伝導振動子に直接接触するための共鳴ケースを含み、前記骨伝導イヤホンは、前記共鳴ケースの内部に位置し、射出方式によって前記共鳴ケースと一体成形されている。
【００１１】
前述した骨伝導イヤホンに基づく発声ガイドモードを切り替え可能なサイクリングヘルメットの好ましい技術方案として、前記共鳴ケースは、数量が複数であり、前記ヘルメット本体内で対称構造となるように分布され、前記共鳴ケース毎に対応して１つの前記骨伝導振動子が設置されている。
【００１２】
前述した骨伝導イヤホンに基づく発声ガイドモードを切り替え可能なサイクリングヘルメットの好ましい技術方案として、前記共鳴ケースは、数量が２つであり、それぞれ前記ヘルメット本体におけるヘルメット着用者の耳部に位置する箇所に設置されている。
【００１３】
前述した骨伝導イヤホンに基づく発声ガイドモードを切り替え可能なサイクリングヘルメットの好ましい技術方案として、前記ヘルメット本体は、前記骨伝導振動子に直接接触可能な共鳴ケースを含み、前記骨伝導イヤホンは、前記骨伝導振動子が前記共鳴ケースに接触する第１状態、及びヘルメット着用者の頭部に接触する第２状態を有するように、前記ヘルメット本体に回動可能に接続されている。
【００１４】
前述した骨伝導イヤホンに基づく発声ガイドモードを切り替え可能なサイクリングヘルメットの好ましい技術方案として、第１回動アームを更に含み、前記第１回動アームは、前記骨伝導イヤホンに接続された第１回動アームの第１端、及び前記ヘルメット本体に接続された第１回動アームの第２端を有し、前記骨伝導イヤホンは、第１回動アームによって前記ヘルメット本体にヒンジ接続されている。
【００１５】
前述した骨伝導イヤホンに基づく発声ガイドモードを切り替え可能なサイクリングヘルメットの好ましい技術方案として、前記ヘルメット本体に、前記第１状態で前記骨伝導イヤホンを収納するための収容室が設置され、前記収容室の少なくとも一つの側壁が前記共鳴ケースであり、前記第１状態で前記骨伝導イヤホンが前記収容室内に位置し、且つ前記骨伝導イヤホンの骨伝導振動子が前記共鳴ケースに接触されている。
【００１６】
前述した骨伝導イヤホンに基づく発声ガイドモードを切り替え可能なサイクリングヘルメットの好ましい技術方案として、前記ヘルメット本体は、保護ケースを更に含み、前記共鳴ケースは、人体頭部に着用することに適した半球状構造であり、前記ヘルメット本体の内側に設置され、前記保護ケースは、前記共鳴ケースの外部に設置され、前記共鳴ケースの前記保護ケースから離れた一側にバッファ層が設置されている。
【００１７】
前述した骨伝導イヤホンに基づく発声ガイドモードを切り替え可能なサイクリングヘルメットの好ましい技術方案として、骨伝導マイクロホン、及び前記骨伝導マイクロホンと前記ヘルメット本体を接続するための第２回動アームを更に含み、前記第２回動アームは、前記骨伝導マイクロホンに接続された第２回動アームの第１端、及び前記ヘルメット本体に接続された第２回動アームの第２端を有し、前記骨伝導マイクロホンは、第２回動アームによって前記ヘルメット本体にヒンジ接続されている。
【００１８】
前述した骨伝導イヤホンに基づく発声ガイドモードを切り替え可能なサイクリングヘルメットの好ましい技術方案として、前記第１回動アームと前記第２回動アームは、一体型構造であり、同一のヒンジ装置によって前記ヘルメット本体にヒンジ接続されている。
【発明の効果】
【００１９】
本発明の有益な効果は以下のとおりである。つまり、ヘルメット本体に骨伝導イヤホンを設置することにより、音声出力機能や骨伝導機能が選択可能に実現され、プライベートな通話やオープンな放送が実現され、ヘルメットの機能が増加し、且つ使用安全性が向上し、ヘルメットを気導音の振動源とすることにより、耳栓を耳に装着することを回避でき、ユーザーの使用快適性が向上する。
【図面の簡単な説明】
【００２０】
以下、図面と実施例に基づき、本発明を更に詳しく説明する。
【００２１】
【図１】図１は、本発明の実施例１に係る骨伝導イヤホンに基づく発声ガイドモードを切り替え可能なサイクリングヘルメットの内部構造模式図である。
【図２】図２は、本発明の実施例２に係る骨伝導イヤホンに基づく発声ガイドモードを切り替え可能なサイクリングヘルメットの内部構造模式図である。
【図３】図３は、本発明の実施例４に係る骨伝導イヤホンが第２状態にある構造模式図である。
【図４】図４は、本発明の実施例４に係る骨伝導イヤホンが第１状態にある構造模式図である。
【図５】図５は、本発明の実施例４に係る骨伝導イヤホンが第２状態にある内部構造模式図である。
【図６】図６は、図５におけるＩの構造模式図である。
【図７】図７は、本発明の実施例５に係る骨伝導イヤホンに基づく発声ガイドモードを切り替え可能なサイクリングヘルメットの内部構造模式図である。
【図８】図８は、本発明の実施例６に係る骨伝導イヤホンに基づく発声ガイドモードを切り替え可能なサイクリングヘルメットの内部構造模式図である。
【符号の説明】
【００２２】
１−ヘルメット本体；１００−保護ケース；２００−骨伝導イヤホン；３００−共鳴ケース；４００−第１回動アーム；５００−回転軸；６００−固定ねじ；７００−収容室；８００−第２回動アーム；９００−骨伝導マイクロホン。
【発明を実施するための形態】
【００２３】
以下、図面を参照しながら具体的な実施形態によって本発明の技術方案を更に説明する。
【００２４】
なお、本発明において、異なる実施例における符号が共通であってもよい。
【００２５】
実施例１
【００２６】
図１に示すように、本実施例において、本発明に係る骨伝導イヤホン２００に基づく発声ガイドモードを切り替え可能なサイクリングヘルメットである気導発声のサイクリングヘルメットは、ヘルメット本体１、及び前記ヘルメット本体１に位置する骨伝導イヤホン２００を含み、前記骨伝導イヤホン２００は、磁石、コイル及び骨伝導振動子を含み、前記骨伝導振動子は、前記ヘルメット本体１が振動して音室を形成するように、前記ヘルメット本体１に接触できる。
【００２７】
本発明は、骨伝導イヤホン２００の骨伝導振動子をヘルメット本体１に接触することにより、骨伝導振動子が振動する場合、振動が骨伝導振動子からヘルメット本体１に伝達されることで、ヘルメット本体１が振動して、空気の振動を駆動し、全体が発声源として気導発声を形成する。よって、ヘルメットは、着用された状態及び着用者から離脱された場合で、いずれも音声放送機能を実現することができる。
【００２８】
本実施例に係る骨伝導イヤホン２００に基づく気導発声のサイクリングヘルメットである発声ガイドモードを切り替え可能なサイクリングヘルメットの好ましい技術方案として、前記ヘルメット本体１は、前記骨伝導振動子に直接接触するための共鳴ケース３００を含み、前記骨伝導イヤホン２００は、前記共鳴ケース３００の内部に位置し、射出方式によって前記共鳴ケース３００と一体成形されている。
【００２９】
本発明に係る技術方案において、共鳴ケース３００は、ヘルメット本体１の前記保護ケース１００と一体になる頭部保護装置であってもよく、骨伝導イヤホン２００を射出方式によってヘルメット本体１に内蔵することにより、骨伝導イヤホン２００と最終的に振動して気導発声を形成する共鳴ケース３００との密接が実現され、外部接続構造によって接続される時、両者間の振動伝達に減衰現象が発生して、最終的な発声効果が理想的ではないことを回避できる。
【００３０】
音響効果を向上させるために、具体的な実施過程において、共鳴ケース３００は良好な振動発声性能を有する材料で製造される。
【００３１】
実施例２
【００３２】
図２に示すように、本実施例において、共鳴ケースと保護ケースは、別体型構造であり、共同してヘルメット本体１を構成し、本発明の具体的な実施例において、前記共鳴ケース３００の数量は１つ又は複数であってもよく、前記共鳴ケース３００の数量が複数であると、複数の共鳴ケース３００は、前記ヘルメット本体１内で対称構造となるように分布され、前記共鳴ケース３００毎に対応して１つの前記骨伝導振動子が設置されている。複数の共鳴ケース３００を設置することにより、ヘルメット本体１の内部でステレオ効果を実現することができる。
【００３３】
好ましくは、本実施例において、前記共鳴ケース３００は、数量が２つであり、それぞれヘルメット着用者の耳部に位置する前記ヘルメット本体１に設置されている。
【００３４】
実施例３
【００３５】
本実施例は、実施例１の基本構造と同じであり、主に以下のような点で実施例１と異なる。即ち、本実施例に係るヘルメット本体は、保護ケース及び共鳴ケースを含み、前記共鳴ケースは、人体頭部に着用することに適した半球状構造であり、前記ヘルメット本体の内側に設置され、前記保護ケースは、前記共鳴ケースの外部に設置され、前記共鳴ケースの前記保護ケースから離れた一側にバッファ層が設置されている。
【００３６】
物理的保護及び振動発声を実現するために必要な材料が異なるため、同一の材料でヘルメット本体を製造する時、必然的に両者が同時に最高の要求に達することができないことにつながる。保護ケース及び共鳴ケースを個別に設置して、保護ケースがより良い耐物理的衝撃性能を有する材料で製造され、共鳴ケースが良好な振動発声性能を有する材料で製造されることで、本実施例におけるヘルメットが本発明の目的をよりよく実現することを確保できる。これと同時にバッファ層が設置されることで、比較的硬い材料で製造された保護ケース及び共鳴ケースが着用者の頭部に直接接触して、使用快適性に影響を与えることを回避できる。
【００３７】
実施例４
【００３８】
図３〜６に示すように、本実施例において、本発明に係る骨伝導イヤホン２００に基づく発声ガイドモードを切り替え可能なサイクリングヘルメットは、ヘルメット本体１、及び前記ヘルメット本体１に位置する骨伝導イヤホン２００を含み、前記骨伝導イヤホン２００は、磁石、コイル及び骨伝導振動子を含み、前記骨伝導振動子は、前記ヘルメット本体１が振動して音室を形成するように、前記ヘルメット本体１に接触できる。
【００３９】
前記ヘルメット本体１は、前記骨伝導振動子に直接接触可能な共鳴ケースを含み、前記骨伝導イヤホン２００は、前記骨伝導振動子が前記共鳴ケースに接触する第１状態、及びヘルメット着用者の頭部に接触する第２状態を有するように、前記ヘルメット本体１に回動可能に接続されている。
【００４０】
本実施例において、骨伝導振動子がヘルメット本体１に回動可能に接続されるように設置され、使用過程中、使用者のニーズに応じて、骨伝導振動子が共鳴ケースに振動接触することにより、共鳴ケースの振動を駆動して気導発声を実現するように、骨伝導振動子が第１状態となるように調節してもよく、又は、前記骨伝導振動子が前記共鳴ケースから離脱して着用者の頭部にのみ接触して骨導発声を実現するように、骨伝導振動子が第２状態となるように調節してもよい。このような選択可能な構造によって、ヘルメットの使用上の融通性を向上させることができ、異なる用途に応じて、使用者により多くの選択を提供し、ユーザーエクスペリエンスを向上させる。
【００４１】
具体的には、本実施例に係る骨伝導イヤホン２００に基づく発声ガイドモードを切り替え可能なサイクリングヘルメットは、第１回動アーム４００を更に含み、前記第１回動アーム４００は、前記骨伝導イヤホン２００に接続された第１回動アーム４００の第１端、及び前記ヘルメット本体１に接続された第１回動アーム４００の第２端を有し、前記骨伝導イヤホン２００は、第１回動アーム４００によって前記ヘルメット本体１にヒンジ接続されている。
【００４２】
前記ヘルメット本体１に、前記ヘルメット本体１と一体になるように、回転軸５００が射出形成され、前記第１回動アーム４００の、前記第１回動アーム４００の第２端に、前記回転軸５００に嵌合する軸穴が設置され、前記回転軸５００の端部に固定穴が設置され、前記第１回動アーム４００は、固定ねじ６００が前記固定穴に嵌合することにより、回転軸５００に軸方向に固定されている。
【００４３】
もちろん、骨伝導イヤホン２００とヘルメット本体１との接続方式がヒンジ接続形式に限定されるものではなく、他の実施例において、伸縮式接続等の他の接続方式が用いられてもよい。
【００４４】
実施例５
【００４５】
図７に示すように、本実施例に係る骨伝導イヤホン２００に基づく発声ガイドモードを切り替え可能なサイクリングヘルメットは、実施例４に係るサイクリングヘルメットの構造と基本的に同じであり、主に以下のような点で実施例４と異なる。即ち、本実施例において、前記ヘルメット本体１に、前記第１状態で前記骨伝導イヤホン２００を収納するための収容室７００が増設され、前記収容室７００の少なくとも一つの側壁が前記共鳴ケース３００であり、前記第１状態で前記骨伝導イヤホン２００が前記収容室７００内に位置し、且つ前記骨伝導イヤホン２００の骨伝導振動子が前記共鳴ケースに接触されている。
【００４６】
ヘルメット着用者がヘルメットで骨導音を行う場合、骨伝導イヤホン２００は、収容室７００の外部に位置し、人体との接触が容易になり、気導音機能を採用すると、骨伝導イヤホン２００を前記収容室７００内に収納することができる。よって、ヘルメットの外形がシンプルで美観であり、且つある程度まで、衝突損傷を回避するように骨伝導イヤホン２００を保護する。
【００４７】
実施例６
【００４８】
図８に示すように、本実施例に係る骨伝導イヤホン２００に基づく発声ガイドモードを切り替え可能なサイクリングヘルメットは、実施例５に係るサイクリングヘルメットの構造と基本的に同じであり、主に以下のような点で実施例５と異なる。即ち、骨伝導マイクロホン９００、及び前記骨伝導マイクロホン９００と前記ヘルメット本体１を接続するための第２回動アーム８００を更に含み、前記第２回動アーム８００は、前記骨伝導マイクロホン９００に接続された第２回動アーム８００の第１端、及び前記ヘルメット本体１に接続された第２回動アーム８００の第２端を有し、前記骨伝導マイクロホン９００は、第２回動アーム８００によって前記ヘルメット本体１にヒンジ接続されている。前記第１回動アーム４００と前記第２回動アーム８００は、一体型構造であり、同一のヒンジ装置によって前記ヘルメット本体１にヒンジ接続されている。
【００４９】
本実施例において、同様に収容室７００が設置され、当該収容室７００は、前記第１回動アーム４００及び第２回動アーム８００を同時に収容可能な収容室７００構造である。
【００５０】
通常、サイクリング過程で、速度が比較的速いため、従来のマイクロホンを使用すると、風の影響のせいで通話品質を確保しにくい。そのため、本実施例において、骨伝導マイクロホン９００により風の干渉を効果的に回避することができる。
【００５１】
本文の説明において、用語の「第１」、「第２」がただ区別して説明するために用いられ、特殊な意味を持つものではない。
【００５２】
なお、上記具体的な実施形態は、本発明の好適な実施例及びその運用した技術的原理に過ぎず、本発明に開示された技術範囲内で、当業者が容易に想到した全ての変更や置換は、本発明の保護範囲に属すべきである。
【図１】
0006487068.tif 000002
【図２】
0006487068.tif 000003
【図３】
0006487068.tif 000004
【図４】
0006487068.tif 000005
【図５】
0006487068.tif 000006
【図６】
0006487068.tif 000007
【図７】
0006487068.tif 000008
【図８】
0006487068.tif 000009